(57)【要約】【課題】雌継手金物に取付部材を係合させて、これら取付部材を型枠の定位置へ楔止めすることで、継手金物のコンクリート型枠への取り付けを簡便な構造で速やかに行える継手金物のコンクリート型枠への取付構造を提供すること。【解決手段】雌継手金物１１にその係止溝１３係合部１４を係合させることで取付部材１３を取り付け、この取付部材１３を雌継手金物１１の受座１５に設けた貫通孔１６より外に出して雌継手金物１１を受座１５に支持させると、取付部材１１の下部にあけた楔孔１７が楔受部１８より下側に位置して、該楔孔１７へ楔１９を打ち込むと雌継手金物１１が取付部材１３により端枠５へ固定され、上記楔孔１７から楔１９を引き抜くと雌継手金物１１が取付部材１３とともに端枠５より離脱されるように構成されていること。【選択図】  図２
2009083367.tif 000002
【特許請求の範囲】
【請求項１】
端縁に雌継手金物と雄継手金物がインサートされた製品を成形するコンクリート型枠へ雌継手金物と雄継手金物を取り付けるコンクリート型枠への継手金物取付構造であって、
雌継手金物の取付構造は、雌継手金物にその係止溝へ係合部を係合させることで取付部材を取り付け、
この取付部材を雌継手金物の受座に設けた貫通孔より外に出して、雌継手金物を受座に支持させると、取付部材の下部にあけた楔孔が楔受部より下側に位置して、
該楔孔へ楔を打ち込むと雌継手金物が取付部材により端枠へ固定され、上記楔孔から楔を引き抜くと雌継手金物が取付部材とともに端枠より離脱されるように構成されている
ことを特徴とするコンクリート型枠への継手金物取付構造。
【請求項２】
上記楔孔に打ち込まれた楔の適所に、ねじ等の振動により緩みを防止する部材を係合させてある
ことを特徴とする請求項１に記載のコンクリート型枠への継手金物取付構造。
【請求項３】
上記コンクリート型枠の端枠の内面に設けて雌継手金物を支持させる受座は、雌継手金物に設けた係止溝の開放側に、この開放に通ずる接合用の空間を形成する形成部材を連設されている
ことを特徴とする請求項１及び請求項２に記載のコンクリート型枠への継手金物取付構造。
【請求項４】
上記雌継手金物の受座に連設する空間の形成部材は、雌継手金物との間に間隙を有して
、この間隙に雌継手金物に設けた係止溝を密封するシール部材を装着されている
ことを特徴とする請求項１〜請求項３のいずれかに記載のコンクリート型枠への継手金物取付構造。
【請求項５】
端縁に雌継手金物と雄継手金物がインサートされた製品を成形するコンクリート型枠へ雌継手金物と雄継手金物を取り付けるコンクリート型枠への継手金物取付構造であって、
雄継手金物の取付構造は、雄継手金物に設けて雌継手金物の係止溝へ係合させる係合部に、該係合部の半分ずつが収まる凹部を有する一対の挟持体を結合して形成した取付部材を取り付け、
この取付部材をコンクリート型枠の端枠に設けた窓孔より外へ出して、上部に設けた鍔部を窓孔の段部に係合させ、
上記窓孔の段部と取付部材の鍔縁をねじで結合すると、雄継手金物が取付部材により端枠へ固定され、上記段部と鍔縁を結合するねじを外すと雄継手金物が取付部材とともに端枠より離脱されるように構成されている
ことを特徴とするコンクリート型枠への継手金物取付構造。
【発明の詳細な説明】
【技術分野】
【０００１】
本発明は、成形品の端縁へインサートして成形品の接合を行う雌雄の継手金物を型枠へ固定する継手金物の取付構造に関する。
【背景技術】
【０００２】
従来、コンクリートセグメントを成型する型枠においては特許文献１に示されるように、端板２４の外側における底部のベース板３２に固定されたガイド金具３３と、ガイド金具３３に保持された係合金具３４と、係合金具３４に形成されたねじ孔にねじ込まれたボールスクリュー３６とから接合金具保持機構３１を構成して、端板２４に形成された凸部４３の切欠部４４に接合金具３を配置させ、ボールスクリュー３６を回転させて、係合金具３４を摺動させ、係合金具３４の係合保持部を接合金具３の係合空間内へ挿入させて係合させ、接合金具３を端板４に保持させる技術と、他方の端板２４の外側における底部のベース板３２に固定されたガイド金具３３と、ガイド金具３３に保持された係合金具５４と、係合金具５４に形成されたねじ孔にねじ込まれたボールスクリュー３６とから雄金具保持機構５３を構成して、端板２４に形成された挿入口６６を通して雄金具５１の係止片部６４が端板２４の外へ出るように配置させ、ボールスクリュー３６を回転させて、係合金具３４を摺動させると、係合金具５４の係合片部６の係止面６３が雄金具５１の係合部５２へ挿入されて係合させ、雄金具５１を端板２４に保持させる技術は知られている。
【特許文献１】特開２０００−６１９２１号
【０００３】
しかしながら、係合金具をボールスクリューに支持させて、このボールスクリューを回転させることで係合金具を摺動させ、係合金具に設けた係合保持部を接合金具の係合空間や係合面へ係合させて、接合金具や雄金具を端板に保持させる場合は、金具保持機構が大掛かりなものとなって、しかも、係合金具を接合金具または雄金具へ係合、あるいは離脱させるためには、係合金具を接合金具や雄金具の長さ以上の距離を動かさなければならないという問題点があった。
【発明の開示】
【発明が解決しようとする課題】
【０００４】
本発明は上記問題点を解消し、雌雄の継手金物に取付部材を取り付けて、これら取付部材を型枠の定位置へ楔またはボルトで固定することにより、継手金物のコンクリート型枠への取り付けを簡便な構造で速やかに行えるコンクリート型枠への継手金物取付構造を提供することをその課題とする。
【課題を解決するための手段】
【０００５】
上記課題を解決するため本発明に係る継手金物のコンクリート製品への取付構造は、下記の構成を採用することを特徴とする。
【０００６】
請求項１に係る発明は、端縁に雌継手金物と雄継手金物がインサートされた製品を成形するコンクリート型枠へ雌継手金物と雄継手金物を取り付けるコンクリート型枠への継手金物取付構造であって、雌継手金物の取付構造は、雌継手金物にその係止溝へ係合部を係合させることで取付部材を取り付け、この取付部材を雌継手金物の受座に設けた貫通孔より外に出して雌継手金物を受座に支持させると、取付部材の下部にあけた楔孔が楔受部より下側に位置して、該楔孔へ楔を打ち込むと雌継手金物が取付部材により端枠へ固定され
、上記楔孔から楔を引き抜くと雌継手金物が取付部材とともに端枠より離脱されるように構成されていること。
【０００７】
請求項２に係る発明は、上記楔孔に打ち込まれた楔の適所に、ねじ等の振動により緩みを防止する部材を係合させてあること。
【０００８】
請求項３に係る発明は、上記コンクリート型枠の端枠の内面に設けて雌継手金物を支持させる受座は、雌継手金物に設けた係止溝の開放側に、この開放に通ずる接合用の空間を形成する形成部材が連設されていること。
【０００９】
請求項４に係る発明は、上記雌継手金物の受座に連設する空間の形成部材は、雌継手金物との間に間隙を有して、この間隙に雌継手金物に設けた係止溝を密封するシール部材を装着されていること。
【００１０】
請求項５に係る発明は、端縁に雌継手金物と雄継手金物がインサートされた製品を成形するコンクリート型枠へ雌継手金物と雄継手金物を取り付けるコンクリート型枠への継手金物取付構造であって、雄継手金物の取付構造は、雄継手金物に設けて雌継手金物の係止溝へ係合させる係合部に、該係合部の半分ずつが収まる凹部を有する一対の挟持体を結合して形成した取付部材を取り付け、この取付部材をコンクリート型枠の端枠に設けた窓孔より外へ出して、上部に設けた鍔部を窓孔の段部に係合させ、上記窓孔の段部と取付部材の鍔縁をねじで結合すると、雄継手金物が取付部材により端枠へ固定され、上記段部と鍔縁を結合するねじを外すと雄継手金物が取付部材とともに端枠より離脱されるように構成されていること。
【発明の効果】
【００１１】
請求項１に係る発明の効果  雌継手金物にその係止溝へ係合部を係合させて取付部材を取り付け、該取付部材を端枠に設けた受座の貫通孔を貫通させて端枠より外に出し、下部に設けた楔孔を楔受部の下に位置させて、楔孔に楔を打ち込むと雌継手金物が取付部材により端枠へ固定され、楔孔から楔を抜き取れば取付部材が受座より遊離して、雌継手金物を取付部材とともに端枠より離脱することができるから、継手金物の取付構造がボールスクリューを用いたものに比べて小型で単純なものとなり、継手金物の取付及び取り外しも容易且つ迅速に行える。
【００１２】
請求項２に係る発明の効果  楔孔に打ち込まれた楔の適所にねじ等の緩み止を係合させれば、型枠を振動機で振動させながらコンクリート製品の成形を行っても、楔が緩んで雌継手金物の位置ずれや離脱を生ずることがない。
【００１３】
請求項３に係る発明の効果  雌継手金物を支持する受座に雌継手金物の係止溝の開放部に通ずる空間を形成する空間形成部を連設してあるのため、コンクリート製品に雌継手金物の係止溝へ雄継手金物の係合部を係合させる継手操作を行うための空間を形成することができる。
【００１４】
請求項４に係る発明の効果  雌継手金物の受座に連設した空間形成部を雌継手金物との間に隙間が出来るようにして、この隙間をシール部材を装着することで密封させれば、雌継手金物の係止溝へノロが浸入して係止溝を汚損、変形させることがない。
【００１５】
請求項５に係る発明の効果  雄継手金物にその係合部を一対の挟持体に挟持させることで取付部材を取り付け、該取付部材を端枠に設けた窓孔より外に出し、上部に設けた鍔縁を窓孔に設けた段部に係合させて、該段部と鍔縁とを取り付けねじで結合すれば、雄継手金物が取付部材へ固定され、段部と鍔縁を結合する取付ねじを取り外せば雄継手金物が取付部材とともに端枠より離脱されるものであるから、継手金物の取付構造がボールスクリューを用いた従来ものに比べて小型で単純なものになり、継手金物の取付及び取り外しも容易且つ迅速に行える。
【発明を実施するための最良の形態】
【００１６】
図２〜図１２は、本発明に係るコンクリート型枠への継手金物取付構造の雌継手金物へ実施形態を示すものである。
【００１７】
図１において符号１は、コンクリート型枠を示す。このコンクリート型枠１は、図２２〜図２４に一部分を示すセグメント２を成型するものであり、円弧状をなす定盤３と、この定盤３の前側と後側に配置した一対の側枠４（前側は図示せず）と、上記定盤３の左側と右側に配置した一対の端枠５とで構成される。そして、上記側枠４は下端を台部６へ枢着した一対の回動アーム７、７に支持させ、端枠５は台部６に設けたガイド８を進退機構９により進退される移動台１０に支持させることで、上記側枠３の起伏と端枠５の進退によって型枠１の型組み及び型ばらしが容易に行われようにしてある。
【００１８】
図２、図３において符合Ａは、上記コンクリート型枠１の端枠５へ雌継手金物１１を取付ける雌継手金物の取付構造を示す。この取付構造Ａは、雌継手金物１１にその係止溝１２へ係合部１４を係合させることで取付部材１３を取り付け、この取付部材１３を雌継手金物１１の受座１５に設けた貫通孔１６より外に出して雌継手金物１１を受座１５に支持させると、取付部材１３の下部にあけた楔孔１７が楔受部１８より下側に位置して、該楔孔１７へ楔１９を打ち込むと雌継手金物１１が取付部材１３により端枠５へ固定され、上記楔孔１７から楔１９を引き抜くと雌継手金物１１が取付部材１３とともに端枠５より離脱されるように構成されていること。
【００１９】
上記雌継手金物１１は、図４（ａ）（ｂ）に示す通り継手部１１ａと、アンカー取付部１１ｂとで構成されて、継手部１１ａは図４（ａ）に示す通りの蟻型をなして係止溝１２の一方が図４（ｂ）に示す通り開放し、他端が閉塞するように設けられる。そして、この係止溝１２の後記雄継手金物に設けた係合部を支持させる係止縁２０は先上がりに傾かせてあり、アンカーの取付部１１ｂは、２つのねじ孔２１を設けて、これらねじ孔２１に図２４の右側に示す通りアンカー２２のねじ部２３をねじ込むようにしてある。
【００２０】
上記雌継手金物１１の取付部材１３は、図５（ａ）（ｂ）に示す通り細長い板状体であって、上部に雌継手金物１１の係止溝１２へ係合する係合部１４を取り付けられ、係合部１４と取付部材１３の基部とで蟻ほぞ型をなすように形成させる。そして、係合部１４の係止溝１２へ係合する係合縁２４は先上がりに傾かせてあり、また、取付部材１３の受座１５に設けた貫通孔１６より外へ出る部分には、傾斜する下縁１７ａで楔１９を受ける楔孔１７を形成してある。
【００２１】
上記受座１５は、図６に示す通り雌継手金物１１の継手部１１ａの下端を当接させるようにコンクリート型枠１における端枠５の内面に設けられて、上記の通り中央部に取付部材１３を貫通させる貫通孔１６を形成され、裏側には楔孔１７に打ち込まれる楔１９を支持させる楔受部１８を付設してある。
【００２２】
図３において符号２５は、貫通孔１６から外に出た取付部材１３の一側に対設したねじの支持駒を示す。この支持駒２５は楔１９の先端に設けた雌ねじ２６に螺合する止めねじ２７を支持させるともに、その下部に取付部材１３の下端に当接して、楔１９の打ち込みで取付部材１３が曲げられるのを防止する受片２８を付設してある。
【００２３】
図２、図７において符号２９は、セグメント２に雌継手金物１１の係止溝１２に通ずる接合空間３０を図２２〜図２３に示す通り形成させる形成部材を示す。この形成部材２９は図２に示す通り、雌継手金物１１に設けた係止溝１２の開放側を閉塞し得る断面積を有して、一端は側枠４に達するが、他端は雌継手金物１１の間に図１０、図１１に示す通り隙間３1を有する長さに形成して、この隙間３１に図１２に示す通りシール部材３２を装着することで雌継手金物１１の係止溝１２が密封されるようにしてある。
【００２４】
上記構成の雌継手金物の取付構造Ａは、図７に実線で示す通り取付部材１３の係合部１４を雌継手金物１１の係止溝１２に対応させて取付部材１３を矢印方向へ移動させ、係合部１４を係止溝１２へ同図に鎖線で示す通り挿入すると、取付部材１３は図８に示す通り係合縁２４と係止溝１２の係止縁２０との係合で雌継手金物１１に支持されるから、取付部材１３を図９に示す通り受座１５にあけた貫通孔１６へ挿入し、雌継手金物１１の下端が図１０に示す通り受座１５へ当たるまで下降させると、取付部材１３の下部が同図の通り端枠５より外側へ出て、楔孔１７を楔受部１８の下側に位置させる。そこで、この楔孔１７へ図１１に示す通り楔１９を打ち込んで、楔１９の斜面１９ａで取付部材１３を押し下げさせると、雌継手金物１１は取付部材１３の係合部１４で受座１５へ圧接固定されるから、楔１７の先端側に設けた雌ねじ２６へ支持駒２５に支持させた止めねじ２７を螺合させて楔１９の緩み止めを行い、雌継手金物１１の開口部と接合空間３０の形成部材２９との間に生ずる隙間３１をシール部材３２で密閉させれば、雌継手金物１１を取付部材で端枠５の定位置へ確実に固定する操作を容易に行える。
【００２５】
上記の通り端枠５へ取付けられた雌継手金物１１を端枠５より取り外すときは、楔１９の雌ねじ２６に螺合させた止めねじ２７を外して楔孔１７から楔１９を抜き取れば、取付部材１３が端枠５から遊離するので、雌継手金物１１を取付部材１３とともに端枠５から離脱する操作も容易に行える。
【００２６】
図１３〜図２１は、本発明に係るコンクリート型枠への継手金物取付構造の雄継手金物へ実施形態を示すものである。
【００２７】
図１３、図１４において符号Ｂは、型枠１の端枠５へ雄継手金物３３を取り付ける取付構造を示す。この取付構造Ｂは、雄継手金物の取付構造は、雄継手金物３３に設けて雌継手金物１１の係止溝１２へ係合させる係合部３４に、該係合部３４の半分ずつが収まる凹部３５と凹部３６とを有する一対の挟持体３７と挟持体３８を結合して形成した取付部材３９を取り付け、この取付部材３９をコンクリート型枠１における端枠５の内側に設けた窓孔４０から外へ出して、上部に設けた鍔縁４１と鍔縁４２を窓孔４０の段部４３へ係合させ、上記窓孔４０の段部４３と取付部材３９の鍔縁４１と鍔部４２とを取付ねじ４４で結合すると、雄継手金物３３が取付部材３９で端枠５へ固定され、上記段部４３と鍔縁４１と鍔縁４２とを結合する取付ねじ４４を外すと雄継手金物３３が取付部材３９とともに端枠５より離脱されるように構成されている。
【００２８】
上記雄継手金物３３は、図１５（ａ）（ｂ）に示す通り継手部３３ａと、アンカー取付部３３ｂとで構成されて、継手部３３ａは下部に図１５（ａ）に示す通り、板状部の基部とで蟻型をなす係合部３４が形成されて、この係合部３４は雌継手金物１１の係止縁２０と同様、先上りに傾く係合縁４５を有しており、アンカー取付部３３ｂは、２つのねじ孔４６を設けて、これらねじ孔４６へ図２４に示す通りアンカー４７のねじ４８をねじ込むようにしてある。
【００２９】
上記取付部材３９は、図１６（ａ）（ｂ）（ｃ）（ｄ）に示す通り、一対の挟持体３７と挟持体３８の内側に雄継手金物３３の蟻ほぞ形をなす係合部３４〔図１５（ａ）参照〕の半分ずつが収まる凹部３５と凹部３６を形成して、挟持体３７と挟持体３８を結合すると、凹部３５と凹部３６で雄継手金物３３の係合部３４が挟持されるため雄継手金物３３へ取り付けられるものであって、挟持体３７と挟持体３８の上部には前後への張り出しは小さく、左右への張り出しは大きい鍔縁４１と鍔縁４２を付設されて、張り出しが大きい左右の部分には取付ねじ４４を螺合するねじ孔４９を設け、凹部３５と凹部３６の下側に位置する壁５０は、凹部３５と凹部３６に跨る一連のものとして、中央部に押しねじ５１を螺合するねじ孔５２を設けてある。
【００３０】
また、上記取付部材３９は、分離した挟持体３７と挟持体３８を凹部３５と凹部３６へ雄継手金物３３の係合部３４が半分ずつ収まるように合わせて、挟持体３７と挟持体３８をねじで結合することにより形成する。このため、挟持体３７と挟持体３８には、図１６（ｄ）に示す通り、挟持体３７側に結合ねじ５３（図１９参照）の通孔５４を設け、挟持体３８側に結合ねじ５３を螺合するねじ孔５５を設けて、挟持体３７と挟持体３８を結合ねじ５３で結合した取付部材３９が容易に形成されるようにする。また、挟持体３７と挟持体３８は、接合面を平面に形成すると、結合時に位置ずれを生じ易いので、接合面の両端部に図１６（ａ）に示す通り、凹部と凸部の係合による位置合わせ手段５６を設け、更に、凹部３５と凹部３６の開口側には凹部へのノロの侵入を防止させるシール部材５７を設けてある。
【００３１】
上記取付部材３９を端枠５の外へ出すため該端枠５に形成する窓孔４０は、図１７に示す通り挟持体３７と挟持体３８を結合した取付部材３９が容易に通る大きさに形成して、上部には取付部材３９を形成する挟持体３７と挟持体３８の上部に設けた鍔縁４１及び鍔縁４２を係合させる段部４３を形成して、この段部４３の鍔縁４１と鍔縁４２に設けられるねじ孔４９に対応する位置には、取付ねじ４４を通す通孔５８をあけてある。
【００３２】
上記構成の雌継手金物の取付構造Ｂは、図１８に示す通り、雄継手金物３３の係合部３４へ両側から挟持体３７と挟持体３８を添え付けて、挟持体３７と挟持体３８で係合部３４を図１９に示す通りに挟ませ、挟持体３７側の通孔５４から挟持体３７側のねじ孔５５へ同図の通り結合ねじ５３を螺合させると、挟持体３７と挟持体３８は図２０に示す通り結合されて取付部材３９を形成する。そこで、凹部３５と凹部３６の下側に位置する壁５０に設けたねじ孔５２へ押しねじ５１を螺合させると、この押しねじ５１が雄継手金物３３の係合部３４を押し上げて係合縁４５に係合させるため、雄継手金物３３は挟持体３７と挟持体３８が合体した取付部材３９に支持されるから、この状態において、窓孔４０の段部４３に開けた孔５８から鍔縁４１と鍔縁４２に設けたねじ孔４９へ取付ねじ４４を螺合させれば、雄継手金物３３を取付部材３９で端枠５へ取り付ける操作が容易に行える。
【００３３】
上記の通り端枠５へ取り付けられた雄継手金物３３を端枠５から離脱するには、窓孔４０の段部４３と鍔縁４１及び鍔縁４２とを結合する取付ねじ４４を取り外せば、取付部材３９が端枠５から離れるため、雄継手金物３３を取付部材３９とともに端枠５より離脱する操作も容易に行える。
【００３４】
上記雌継手金物の取付構造Ａ及び雄継手金物の取付構造Ｂで雌継手金物１１と雄継手金物３３をコンクリート型枠１の端枠５へ取り付けて、コンクリート型枠１へコンクリートの打設を行えば、図２２（ａ）（ｂ）に示す通り、接合する端縁２ａに雌継手金物１１と雄継手金物３３がインサートされたセグメント２が成形される。そこで、２つのセグメント２の端縁２ａを図２２（ａ）に示す通り、一方の接合空間３０に他方の雄継手金物３３が位置するように当接させて置いて、一方のセグメント２をインサートされた雄継手金物３３の係合部３４が他方のセグメント２にインサートされた雌継手金物１１の係止溝１２へ入り込むように移動させると、雌継手金物１１の係止溝１２へ雄継手金物３３の係合部３４が図２２（ｂ）に示す通り係合して端縁２ａ、２ａの引付けを行うため、２つのセグメント２、２は端縁２ａが密着するように強力に接合される。
【００３５】
また、上記取付構造Ａ及び取付構造Ｂによれば、セグメント２の端縁２ａが図２３（ａ）（ｂ）に示す通りセグメント２の軸心に対して斜交する場合も、雌継手金物１１は端枠５に設ける受座１５と、空間３０の形成部材２９とを雌継手金物１１が軸心と平行するように支持される形状に変更し、雄継手金物３３に対しては、端枠５の内側へ雄継手金物３３を軸心と平行するように支持する補正座（図面省略）を設ければ、端枠５へ雌継手金物１１と雄継手金物３３を図２３（ａ）に示す通りセグメント２の軸心と平行するように取り付けて、雌継手金物１１と雄継手金物３３がインサートされたセグメント２を形成し、雌継手金物１１と雄継手金物３３の係合によって図２３（ｂ）に示す通りに接合することができる。
【産業上の利用可能性】
【００３６】
本発明に係るコンクリート型枠への継手金物取付構造は、端縁に雄、雌の継手金物をインサートして、継手金物の係合により所要数を接合して暗渠やトンネル等を構成させるコンクリートセグメント等の製造に利用することができる。
【図面の簡単な説明】
【００３７】
【図１】端枠へ継手金物の取付構造を適用するコンクリート型枠の縦断正面図
【図２】雌継手金物をコンクリート型枠へ取付ける取付構造の中央縦断断正面図
【図３】同上の中央縦断側面図
【図４】（ａ）（ｂ）は雌継手金物の側面図と縦断正面図
【図５】（ａ）（ｂ）は雌継手金物へ取り付ける取付部材の正面図と側面図
【図６】端枠に設けて貫通孔をあけた受座の平面図
【図７】雌継手金物へ取付部材を取り付けようとする説明図
【図８】雌継手金物へ取付部材が取り付けられた説明図
【図９】雌継手金物へ取り付けた取付部材を受座の貫通孔へ挿入する説明図
【図１０】取付部材が貫通孔を貫通して雌継手金物が受座に乗った説明図
【図１１】取付部材に設けた楔孔へ楔を打ち込んで雌継手金物を受座へ圧接した説明図
【図１２】打ち込んだ楔のねじ孔へ止めねじを螺合して楔の緩みを止めた説明図
【図１３】雄継手金物をコンクリート型枠へ取付ける取付構造の中央縦断断側面図
【図１４】同上の中央縦断正面図
【図１５】（ａ）（ｂ）は、雄継手金物の側面図と正面図
【図１６】（ａ）（ｂ）（ｃ）（ｄ）は、雄継手金物へ取り付ける取付部材の平面図、中央縦断正面図、中央縦断側面図、分離させた場合の中央縦断側面図
【図１７】端枠に設けて上部に段部を形成した窓孔の平面図
【図１８】雄継手金物の継手部を取付部材の一対の挟持体で挟ませようとする説明図
【図１９】継手部を挟持した一対の挟持体をねじ結合している説明図
【図２０】雄継手金物へ取り付けた取付部材を端枠の窓孔に挿入しようとする説明図
【図２１】窓孔に収まった取付部材の縁部を窓枠の段部へ取付ねじで結合する説明図
【図２２】（ａ）（ｂ）は、軸心と平行する端枠へ雌継手金物と雄継手金物を取付けて成形したセグメントを継手金物で接合する説明図。
【図２３】（ａ）（ｂ）は、軸心と斜交する端枠へ雌継手金物と雄継手金物を取付けて成形したセグメントを継手金物で接合する説明図。
【図２４】雌継手金物の係止溝に雄継手金物の係合部を係合させて、セグメントを接合した状態を示す説明図。
【符号の説明】
【００３８】
Ａ  雌継手金物の取付構造
１  コンクリート型枠
５  端枠
１１  雌継手金物
１２  係止溝
１３  取付部材
１４  係合部
１５  受座
１６  貫通孔
１７  楔孔
１８  楔受部
１９  楔
Ｂ  雄継手金物の取付構造
３３  雄継手金物
３４  係合部
３５、３６  凹部
３７、３８  挟持体
３９  取付部材
４０  窓孔
４１、４２  鍔縁
４３  段部
４４  取付ねじ
４６  ねじ孔
【図１】
2009083367.tif 000003
【図２】
2009083367.tif 000004
【図３】
2009083367.tif 000005
【図４】
2009083367.tif 000006
【図５】
2009083367.tif 000007
【図６】
2009083367.tif 000008
【図７】
2009083367.tif 000009
【図８】
2009083367.tif 000010
【図９】
2009083367.tif 000011
【図１０】
2009083367.tif 000012
【図１１】
2009083367.tif 000013
【図１２】
2009083367.tif 000014
【図１３】
2009083367.tif 000015
【図１４】
2009083367.tif 000016
【図１５】
2009083367.tif 000017
【図１６】
2009083367.tif 000018
【図１７】
2009083367.tif 000019
【図１８】
2009083367.tif 000020
【図１９】
2009083367.tif 000021
【図２０】
2009083367.tif 000022
【図２１】
2009083367.tif 000023
【図２２】
2009083367.tif 000024
【図２３】
2009083367.tif 000025
【図２４】
2009083367.tif 000026